(57)【要約】      （修正有）【課題】筐体の薄型化と、組み立て時にカムスライダーと２つのスイッチとが干渉しないこととを両立した光ディスク装置を提供する。【解決手段】カムスライダー２２が一方の移動端にあるときに押下される第１押下部を有する第１プッシュスイッチ２４と、第１押下部と対向する押下部であって、カムスライダー２２が他方の移動端にあるときに押下される第２押下部を有する第２プッシュスイッチ２５と、回路基板２３の組み付け時にカムスライダー２２が寄せられる移動端側のローダーシャーシ２１に設けられるリブであって、回路基板２３のカムスライダー２２とは反対側の回路基板２３に重なる位置に設けられ、回路基板２３を両押下部の押下方向に沿って移動させながらローダーシャーシ２１に組み付ける際に回路基板２３を案内する傾斜部２６ａを有する第１リブ２６と、を備えた光ディスク装置。【選択図】図８
2014170607.tif 000002
【特許請求の範囲】
【請求項１】
光ピックアップユニットを搭載したトラバースシャーシをチャッキング位置とアンチャッキング位置との間で揺動させるカムスライダーと、
前記カムスライダーが両移動端の一方に位置するときに押下される第１押下部を有する第１プッシュスイッチと、
第１押下部と対向する押下部であって、前記カムスライダーが両移動端の他方に位置するときに押下される第２押下部を有する第２プッシュスイッチと、
第１及び第２プッシュスイッチを搭載した回路基板と、
前記カムスライダーと前記回路基板とを重ねて搭載するシャーシと、
前記回路基板の組み付け時に前記カムスライダーが寄せられる移動端側の前記シャーシに設けられるリブであって、前記回路基板の前記カムスライダーとは反対側の前記回路基板に重なる位置に設けられ、前記回路基板を第１及び第２押下部の押下方向に沿って移動させながら前記シャーシに組み付ける際に前記回路基板を案内する傾斜部を有する第１リブと、を備えた光ディスク装置。
【請求項２】
前記回路基板の組み付け時に前記カムスライダーが寄せられる移動端側とは反対側であって、前記回路基板に重なるように、第１リブから最も離れた位置に設けられる第２リブを備えたことを特徴とする請求項１記載の光ディスク装置。
【請求項３】
前記回路基板の組み付け時に前記カムスライダーが寄せられる移動端側とは反対側であって、前記回路基板に重なるように、第２リブとは異なる位置に設けられる第３リブを備えたことを特徴とする請求項２記載の光ディスク装置。
【請求項４】
光ディスクを搬送するトレイを備え、
第１及び第２プッシュスイッチはそれぞれ前記トレイの開状態と閉状態とを検出することを特徴とする請求項１〜３の何れかに記載の光ディスク装置。
【発明の詳細な説明】
【技術分野】
【０００１】
本発明は、ＢＤ（Blu-ray Disc）、ＤＶＤ（Digital Versatile Disc）等の光ディスクに対して記録／再生を行う光ディスク装置に関する。
【背景技術】
【０００２】
従来から、光ディスクを再生したり、光ディスクに記録したりする光ディスク装置において、様々な形態が提案されている。その形態の一つとして、メインシャーシと、光ディスクが載置されるトレイと、光ピックアップ及びターンテーブルが搭載されたトラバースシャーシと、トラバースシャーシを上下に揺動させるカムスライダーとを有する光ディスク装置がある。
【０００３】
このような光ディスク装置においてトレイの開閉は例えば２つのスイッチで検出されている。例えば特許文献１に、ＣＤ等を載置可能なトレイと、モータと、このモータによる回転運動を直線運動に変換しつつそれをトレイに伝達する伝達機構とを備え、伝達機構によってトレイを本体シャーシに対して進退させるためのものであって、モータが回転駆動されることによってトレイの進退方向と直交する方向に移動されるカムプレートと、カムプレートが当接することによってオン、オフ動作される第１スイッチ及び第２スイッチと、トレイが本体シャーシに収納されて停止された第１の状態、トレイが低速度で進退される第２の状態、トレイが高速度で進退される第３の状態、及びトレイが本体シャーシから進出されて停止された第４の状態のいずれかの状態であるかを、第１及び第２スイッチにおけるオン状態及びオフ状態の組み合わせに基づいて判別するＣＰＵとを備える記録媒体再生装置が開示されている。
【先行技術文献】
【特許文献】
【０００４】
【特許文献１】特開２００８−２１３８２号公報
【発明の概要】
【発明が解決しようとする課題】
【０００５】
しかしながら、特許文献１のようにカムスライダー（カムプレート）の下にスイッチを配置する構成ではカムスライダーの下方にスイッチを設けるスペースが必要となり、筐体の薄型化の妨げになる。しかし、安易にスイッチの配置をカムスライダーの側方等に変更すると、今度は組み立て時にスイッチを搭載した基板とカムスライダーとが干渉して組み立てられなくなる。
【０００６】
本発明は、筐体の薄型化と、組み立て時にカムスライダーと２つのスイッチとが干渉しないこととを両立した光ディスク装置を提供することを目的とする。
【課題を解決するための手段】
【０００７】
上記目的を達成するために本発明は、光ピックアップユニットを搭載したトラバースシャーシをチャッキング位置とアンチャッキング位置との間で揺動させるカムスライダーと、前記カムスライダーが両移動端の一方に位置するときに押下される第１押下部を有する第１プッシュスイッチと、第１押下部と対向する押下部であって、前記カムスライダーが両移動端の他方に位置するときに押下される第２押下部を有する第２プッシュスイッチと、第１及び第２プッシュスイッチを搭載した回路基板と、前記カムスライダーと前記回路基板とを重ねて搭載するシャーシと、前記回路基板の組み付け時に前記カムスライダーが寄せられる移動端側の前記シャーシに設けられるリブであって、前記回路基板の前記カムスライダーとは反対側の前記回路基板に重なる位置に設けられ、前記回路基板を前記押下部の押下方向に沿って移動させながら前記シャーシに組み付ける際に前記回路基板を案内する傾斜部を有する第１リブと、を備えた光ディスク装置とする。
【０００８】
この構成によれば、カムスライダーによって押下されるプッシュスイッチを用いているので、カムスライダーの下方にスイッチを設けるスペースが不要となり、筐体の薄型化を実現できる。また、組み付けられた回路基板のカムスライダーとは反対側の重なる位置に第１リブが設けられることで、回路基板をシャーシに対して平行を保った状態で移動させて組み付けることを妨げる。また、第１リブに傾斜部を設けることにより、回路基板をシャーシに斜めに挿入することで組み付け可能にしている。
【０００９】
上記の光ディスク装置において、前記回路基板の組み付け時に前記カムスライダーが寄せられる移動端側とは反対側であって、前記回路基板に重なるように、第１リブから最も離れた位置に設けられる第２リブを備えてもよい。
【００１０】
この構成によれば、第２リブは、組み付けられた回路基板のカムスライダーとは反対側の重なる位置に設けられることで、回路基板をシャーシに対して平行を保った状態で移動させて組み付けることを妨げる。第２リブを追加することで、第１リブだけの場合よりもこの効果が高くなる。また、回路基板をシャーシに斜めに挿入した後、水平に移動させることで第２リブと回路基板とが干渉せずに組み付け可能になっている。
【００１１】
また上記の光ディスク装置において、前記回路基板の組み付け時に前記カムスライダーが寄せられる移動端側とは反対側であって、前記回路基板に重なるように、第２リブとは異なる位置に設けられる第３リブを備えてもよい。
【００１２】
この構成によれば、第３リブは、組み付けられた回路基板のカムスライダーとは反対側の重なる位置に設けられることで、回路基板をシャーシに対して平行を保った状態で移動させて組み付けることを妨げる。第３リブを追加することで、第１及び第２リブだけの場合よりもこの効果が高くなる。また、回路基板をシャーシに斜めに挿入した後、水平に移動させることで第３リブと回路基板とが干渉せずに組み付け可能になっている。
【００１３】
また上記の光ディスク装置において、光ディスクを搬送するトレイを備え、第１及び第２プッシュスイッチはそれぞれ前記トレイの開状態と閉状態とを検出するようにしてもよい。この構成によれば、トレイ方式の光ディスク装置に適用することができる。
【発明の効果】
【００１４】
本発明によると、カムスライダーによって押下されるプッシュスイッチを用いているので、カムスライダーの下方にスイッチを設けるスペースが不要となり、筐体の薄型化を実現できる。また、組み付けられた回路基板のカムスライダーとは反対側の重なる位置に第１リブが設けられることで、回路基板をシャーシに対して平行を保った状態で移動させて組み付けることを妨げる。また、第１リブに傾斜部を設けることにより、回路基板をシャーシに斜めに挿入することで組み付け可能にしている。したがって、本発明によれば、筐体（シャーシ）の薄型化と、組み立て時にカムスライダーと２つのスイッチとが干渉しないこととを両立した光ディスク装置を提供することができる。
【図面の簡単な説明】
【００１５】
【図１】本発明の一実施形態の光ディスク装置の外観斜視図である。
【図２】トレイが開状態に位置するときのカムスライダーの位置を示すドライブ装置の要部構成の斜視図である。
【図３】トレイが閉状態に位置するときのカムスライダーの位置を示すドライブ装置の要部構成の斜視図である。
【図４】図２の下面図である。
【図５】ローダーシャーシの下面側の斜視図である。
【図６】図５の右側から見た斜視図である。
【図７】回路基板を組み付ける作業中のドライブ装置の前端付近の平面図である。
【図８】図７のＡ−Ａ線断面図である。
【図９】回路基板を組み付ける作業中のドライブ装置の前端付近の平面図である。
【図１０】図９のＢ−Ｂ線断面図である。
【図１１】不適切な組み立て作業中のドライブ装置の前端付近の平面図である。
【図１２】図１１のＣ−Ｃ線断面図である。
【発明を実施するための形態】
【００１６】
以下、光ディスク装置を横置き（水平姿勢）に設置した状態、すなわち光ディスクのレーベル面が上向きで水平に収納、排出される状態を基準に説明する。光ディスクが排出される側を前側、前側に対面して右手を右側、前側に対面して左手を左側と定義する。また、光ディスクが排出・収納される方向を前後方向、光ディスクのレーベル面と平行で前後方向に直交する方向を左右方向、前後方向及び左右方向に直交する方向を上下方向と定義する。
【００１７】
図１は、本発明の一実施形態の光ディスク装置の外観斜視図である。光ディスク装置１０は、前面カバー１１と、外装カバー１２と、前面カバー１１及び外装カバー１２によって前側、右側、左側及び上側が覆われるボトムシャーシ（不図示）とを備えている。
【００１８】
前面カバー１１は、外装カバー１２及びボトムシャーシの前側に取り付けられ、各種ユーザーインターフェースを有している。例えば、前面カバー１１には、光ディスク搬送用のトレイ１３、トレイ１３を開閉させる開閉ボタン１４、外部機器接続用の端子群１５、表示部としての表示管１６、光ディスクを再生させる再生ボタン等からなる操作部１７、電源ボタン１８などが配設されている。
【００１９】
外装カバー１２は、ボトムシャーシの上側、右側及び左側を覆うコ字型の部材であり、ボトムシャーシにビス等で固定される。ボトムシャーシは、光ディスク装置１０の各種部材を搭載する。搭載する部材は、後述するドライブ装置２０、光ディスク装置１０の各部を制御する制御部などである。
【００２０】
図２はトレイが開状態に位置するときのカムスライダーの位置を示すドライブ装置の要部構成の斜視図、図３はトレイが閉状態に位置するときのカムスライダーの位置を示すドライブ装置の要部構成の斜視図、図４は図２の下面図である。図５はローダーシャーシの下面側の斜視図、図６は図５の右側から見た斜視図である。
【００２１】
光ディスク装置１は外観を形成する装置本体の筐体内にドライブ装置２０を収容している。ドライブ装置２０は、ドライブ装置２０の各部材を収容するローダーシャーシ２１と、光ディスクを載置して搬送するトレイ（不図示）と、光ディスクの搬送方向（前後方向）に略垂直な方向（上下方向）に揺動（旋回）して昇降可能なトラバースアッシー（不図示）と、左右方向に移動してトラバースアッシーを昇降（上下動）させるカムスライダー２２と、駆動モーター（不図示）と、駆動モーターの駆動力をトレイ、光ピックアップユニット（ＯＰＵ）、カムスライダー２２にそれぞれ伝達する駆動力伝達歯車機構（不図示）と、光ディスクをレーベル面側からチャッキングするクランパー（不図示）と、第１及び第２プッシュスイッチ２４、２５を搭載した回路基板２３とを備えている。
【００２２】
ローダーシャーシ２１は、平面視略四角形の筐体であり、例えば樹脂の一体成形品である。ローダーシャーシ２１は、その中央付近から後端にかけてトラバースアッシーを収容する。また、ローダーシャーシ２１は、前部（トラバースアッシーの前側）にカムスライダー２２と回路基板２３とを上下方向に重なった状態で収容している。また、ローダーシャーシ２１は第１〜第３リブ２６〜２８を備えており、これらの詳細については後述する。
【００２３】
トレイは、ラックを有し、排出位置と収納位置の間を移動するものである。ラックが駆動力伝達歯車機構の１つのギアに噛合しており、駆動モーターの駆動によってトレイが前後方向に移動する。
【００２４】
トラバースアッシーは、トラバースシャーシ（不図示）と、ＯＰＵと、トラバースシャーシに固定され、ＯＰＵを光ディスクの径方向（前後方向）に移動可能に支持するガイドシャフト（不図示）と、トラバースシャーシに固定された光ディスク回転用のスピンドルモーター２と、スピンドルモーター２の回転軸に挿嵌されたターンテーブル（不図示）と、右部（トラバースアッシーの右側）に収容された駆動力伝達歯車機構と、駆動力伝達歯車機構を駆動する駆動モーター（不図示）とを備えている。
【００２５】
カムスライダー２２は、ラック２２ａと、カム溝とを有し、左右方向に移動可能にローダーシャーシ２１に取り付けられている。カムスライダー２２はローダーシャーシ２１の上面側から組み付けられる。ラック２２ａはカムスライダー２２の上面右部にあり、ラックが駆動力伝達歯車機構の１つのギア（不図示）に噛合可能となっている。カム溝は、正面視で水平に延びた高さの異なる２本の溝とそれらを繋ぐ斜めの溝とで構成され、トラバースシャーシから前方へ突出したボス（不図示）に係合している。
【００２６】
また、カムスライダー２２の下部には、第１プッシュスイッチ２４を押下する第１凸部２２ｂと、第２プッシュスイッチ２５を押下する第２凸部２２ｃとが形成されている。トレイの開閉動作に連動してカムスライダー２２が左右に移動した場合に、左側の移動端（トレイ開状態（図２の状態））で第１凸部２２ｂが第１プッシュスイッチ２４を押下し、右側の移動端（トレイ閉状態（図３の状態））で第２凸部２２ｃが第２プッシュスイッチ２５を押下する。
【００２７】
このような構成により、カムスライダー２２のラックが駆動力伝達歯車機構に噛合すると、駆動モーターの駆動によってカムスライダー２２が左右方向に移動し、カム溝に沿ってボスが移動する。ボスは上下に移動することになるので、つまりトラバースアッシーが上下動することになる。カムスライダー２２は、トレイを駆動するのと同じ駆動モーターによって駆動されるので、トレイの動作に連動してトラバースアッシーをチャッキング位置とアンチャッキング位置との間で揺動させる。
【００２８】
駆動力伝達歯車機構は、複数のギアが順に噛合して構成される。駆動力伝達歯車機構により、１つの駆動モーターでトレイ、トラバースアッシー、ＯＰＵを駆動することができ、すなわち、光ディスクの搬送、チャッキング、アンチャッキング、光ピックアップの移動を行うことができる。
【００２９】
回路基板２３は略長方形であり、上面側（回路基板２３のカムスライダー２２側）に第１及び第２プッシュスイッチ２４、２５を搭載している。回路基板２３はローダーシャーシ２１の下面側から組み付けられる。この組み付け方法については後述する。
【００３０】
第１、第２プッシュスイッチ２４、２５は、それぞれ第１、第２凸部２２ｂ、２２ｃに押下される突出した棒状の第１、第２押下部２４ａ、２５ａを有する。そして、これら第１、第２押下部２４ａ、２５ａが互いに対向し、互いの押下方向が平行となるように、第１及び第２プッシュスイッチ２４、２５が回路基板２３の左右端付近にそれぞれ配置される。よって、カムスライダー２２の下方にスイッチを設けるスペースが不要となり、筐体の薄型化を実現できる。
【００３１】
次に、ローダーシャーシ２１の第１〜第３リブ２６〜２８について詳しく説明する。第１リブ２６は、回路基板２３の組み付け時にカムスライダー２２が寄せられる移動端側（ここでは図２の位置）のローダーシャーシ２１に設けられるリブである。そして、第１リブ２６は、回路基板２３のカムスライダー２２とは反対側（上面側）の回路基板２３に重なる位置に設けられる。さらに、第１リブ２６は、回路基板２３を第１、第２押下部２４ａ、２５ａの押下方向（回路基板２３の左右方向）に沿って移動させながらローダーシャーシ２１に組み付ける際に回路基板２３を案内する傾斜部２６ａを有する。
【００３２】
例えば、図４、図５に示すように、第１リブ２６は、回路基板２３の１つの角に対向する位置に、ローダーシャーシ２１の内壁から前方へ突出するように一体成形されている。なお、第１リブ２６は必ずしも回路基板２３の角の位置に設ける必要はなく、回路基板２３の組み付け時にカムスライダー２２が寄せられる移動端側の回路基板の一辺に対向して設ければよい。また、傾斜部２６ａは、回路基板２３に搭載された部品とローダーシャーシ２１とが干渉しないように、回路基板を斜めに案内できるような角度と長さに設計されている。
【００３３】
このように、第１リブ２６は、組み付けられた回路基板２３のカムスライダー２２とは反対側の重なる位置に設けられることで、回路基板２３をローダーシャーシ２１に対して平行を保った状態で移動させて組み付けることを妨げる。また、傾斜部２６ａを設けることにより、回路基板２３をローダーシャーシ２１に斜めに挿入することで組み付け可能にしている。
【００３４】
第２リブ２７は、回路基板２３の組み付け時にカムスライダー２２が寄せられる移動端側とは反対側であって、回路基板２３に重なるように、第１リブ２６から最も離れた位置に設けられる。
【００３５】
例えば、図４、図６に示すように、第２リブ２７は、回路基板２３の第１リブ２６との対角に、ローダーシャーシ２１内壁から後方へ水平に突出し、先端が回路基板側へ曲がるように一体成形されている。
【００３６】
このように、第２リブ２７は、組み付けられた回路基板２３のカムスライダー２２とは反対側の重なる位置に設けられることで、回路基板２３をローダーシャーシ２１に対して平行を保った状態で移動させて組み付けることを妨げる。また、回路基板２３をローダーシャーシ２１に斜めに挿入した後、水平に移動させることで第２リブ２７と回路基板２３とが干渉せずに組み付け可能になっている。
【００３７】
第３リブ２８は、回路基板２３の組み付け時にカムスライダー２２が寄せられる移動端側とは反対側であって、回路基板２３に重なるように、第２リブ２７とは異なる位置に設けられる。
【００３８】
例えば、図４〜６に示すように、第３リブ２８は、回路基板２３の第２リブ２７が重なる角とは異なる角に重なるように、ローダーシャーシ２１の内壁から前方へ水平に突出するように一体成形されている。
【００３９】
このように、第３リブ２８は、組み付けられた回路基板２３のカムスライダー２２とは反対側の重なる位置に設けられることで、回路基板２３をローダーシャーシ２１に対して平行を保った状態で移動させて組み付けることを妨げる。また、回路基板２３をローダーシャーシ２１に斜めに挿入した後、水平に移動させることで第３リブ２８と回路基板２３とが干渉せずに組み付け可能になっている。
【００４０】
なお、回路基板２３をローダーシャーシ２１に対して平行を保った状態で移動させて組み付けることを妨げ、かつ、回路基板２３をローダーシャーシに干渉せず組み付け可能にする観点からは、少なくとも第１リブ２６を設ければ足りる。そして、第２リブ２７を追加することで、回路基板２３をローダーシャーシ２１に対して平行に移動させて組み付けることを妨げる効果が高くなる。そして、第３リブ２８を追加することでさらにその効果が高くなる。
【００４１】
次に、回路基板２３のローダーシャーシ２１への組み付け方法について詳しく説明する。図７は回路基板を組み付ける作業中のドライブ装置２０の前端付近の平面図であり、図８は図７のＡ−Ａ線断面図である。また、図９は図７の作業状態に続く状態を示しており、図９は回路基板を組み付ける作業中のドライブ装置２０の前端付近の平面図、図１０は図９のＢ−Ｂ線断面図である。
【００４２】
まず、図７及び図８に示すように、カムスライダー２２をトレイの開状態側の移動端（図７では右端）に保持し、下面側から見て、回路基板２３を第１、第２押下部２４ａ、２５ａの押下方向に沿って移動させながら第１リブ２６の傾斜部２６ａに沿って第１リブ２６の下（上面側）に挿入する。つまり、図７では、回路基板２３を第１、第２押下部２４ａ、２５ａの押下方向に沿って傾けた状態で第１リブ２６の下に斜めに挿入する。これにより、第１プッシュスイッチ２４が第１凸部２２ｂに当たることがない。
【００４３】
なお、カムスライダー２２を両移動端の間で止めた状態で回路基板２３を組み付けることは難しい。なぜなら、カムスライダー２２は自重で動くので、手でカムスライダー２２を両移動端の間に動かしてそこで押さえたまま回路基板２３を組み付けなければならないので、作業が煩雑になり時間がかかる。
【００４４】
次に、図９及び図１０に示すように、回路基板２３の先に挿入した第１リブ２６側とは反対側を第２及び第３リブ２７、２８より下方（上面側）に位置するまで移動させ、第２及び第３リブ２７、２８の下側に重なるように回路基板２３を移動（図９では左へ移動）させる。このとき、第１プッシュスイッチ２４が第１凸部２２ｂに当たる方へ移動させられるので、第１押下部２４ａが第１凸部２２ｂに押下される。
【００４５】
これにより、第２及び第３リブ２７、２８と回路基板２３とが干渉せずに組み付けられるとともに、第１押下部２４ａが正規の方向に押下されるので第１押下部２４ａが破損することもない。なお、第２プッシュスイッチ２５は第２凸部２２ｃから離れているので破損することはない。
【００４６】
その後、回路基板２３の孔２３ａとローダーシャーシ２１のボス２１ａとを係合させ、回路基板２３の孔２３ｂとローダーシャーシ２１のビス受け２１ｂとを合わせてビスで固定することにより、回路基板２３のローダーシャーシ２１への組み付けが完了する。
【００４７】
図１１は不適切な組み立て作業中のドライブ装置２０の前端付近の平面図であり、図１２は図１１のＣ−Ｃ線断面図である。このように、回路基板２３をローダーシャーシ２１に対して平行を保った状態で移動させて組み付けようとすると、第１〜第３リブ２６〜２８に当たって組み付けが妨げられる。このとき、第１及び第２プッシュスイッチ２４、２５は第１及び第２凸部２２ｂ、２２ｃの手前で止まっているので破損することもない。
【００４８】
なお、上記の実施形態では、光ディスク装置を横置き（水平姿勢）に設置した状態について説明したが、本発明の光ディスク装置は縦置きに設置することもできる。
【００４９】
また、上記の実施形態では、光ディスク装置の一形態としてトレイ方式を例に説明したが、本発明はスロットイン方式など、他の方式の光ディスク装置にも適用できる。例えばスロットイン方式の場合、上記の第１及び第２プッシュスイッチは光ディスクのチャッキング及びアンチャッキングを検出するスイッチ等として用いられる。また、上述した各形態は可能な範囲で組み合わせて実施することもできる。
【００５０】
本発明は、ＢＤ、ＤＶＤ、ＣＤ（Compact Disc）等の光ディスクを再生する再生装置や光ディスクに記録することもできる記録再生装置をはじめとする光ディスク装置に利用することができる。例えば、ＢＤ・ＤＶＤプレーヤー、ＢＤ・ＤＶＤレコーダー、テレビ一体型ＢＤ・ＤＶＤレコーダー、ＢＤ・ＤＶＤ記録再生装置搭載のパーソナルコンピューターなどが挙げられる。
【符号の説明】
【００５１】
１  光ディスク装置
２１  ローダーシャーシ（シャーシ）
２２  カムスライダー
２３  回路基板
２４  第１プッシュスイッチ
２４ａ  第１押下部
２５ａ  第２押下部
２５  第２プッシュスイッチ
２６  第１リブ
２６ａ  傾斜部
２７  第２リブ
２８  第３リブ
【図１】
2014170607.tif 000003
【図２】
2014170607.tif 000004
【図３】
2014170607.tif 000005
【図４】
2014170607.tif 000006
【図５】
2014170607.tif 000007
【図６】
2014170607.tif 000008
【図７】
2014170607.tif 000009
【図８】
2014170607.tif 000010
【図９】
2014170607.tif 000011
【図１０】
2014170607.tif 000012
【図１１】
2014170607.tif 000013
【図１２】
2014170607.tif 000014